(57)【要約】【課題】コストアップを極力抑えつつ、被写体に対する照明効果と、背景に対する照明効果とを個別に調節しやすい写真撮影装置を提供する。【解決手段】被写体及びその背景を撮影するカメラ１３と、カメラ１３により被写体を撮影するときの背景を構成し、かつ、再帰反射特性を有する背景面１８ａと、カメラ１３側から被写体及び背景面１８ａを照明し、互いに異なる照明特性を有する第１及び第２照明装置１１・１２とを写真撮影装置に備える。背景面１８ａ上の任意の位置Ｐから見たときのカメラ１３の方向と第１照明装置１１の方向とがなす角度θ１が、位置Ｐから見たときのカメラ１３の方向と第２照明装置１２の方向とがなす角度θ２よりも小さくなるように、第１及び第２照明装置１１・１２を配置する。【選択図】　図１
2004093925.tif 000002
【特許請求の範囲】
【請求項１】
被写体及びその背景を撮影する撮影手段と、
前記撮影手段により被写体を撮影するときの背景を構成し、かつ、再帰反射特性を有する背景面と、
前記撮影手段側から被写体及び前記背景面を照明し、互いに異なる照明特性を有する第１及び第２照明手段とを備え、
前記背景面上の任意の位置から見たときの前記撮影手段の方向と前記第１照明手段の方向とがなす角度が、前記位置から見たときの前記撮影手段の方向と前記第２照明手段の方向とがなす角度よりも小さくなるように、前記第１及び第２照明手段が配置されていることを特徴とする写真撮影装置。
【請求項２】
前記背景面と対面して配置され、前記背景面側の側面に前記撮影手段、第１照明手段及び第２照明手段が設置された筐体を備え、
前記撮影手段に対して、前記第２照明手段は前記第１照明手段より外側に配置されていることを特徴とする請求項１に記載の写真撮影装置。
【請求項３】
前記第１照明手段と第２照明手段とは、互いに異なる色の照明光を発することを特徴とする請求項１又は２に記載の写真撮影装置。
【請求項４】
前記第１及び第２照明手段の各照明特性を変更する制御手段を備えることを特徴とする請求項１から３の何れか１項に記載の写真撮影装置。
【請求項５】
前記撮影手段及び第１照明手段は、前記筐体に対して一体的に移動可能であることを特徴とする請求項１から４の何れか１項に記載の写真撮影装置。
【請求項６】
請求項１から５の何れか１項に記載の写真撮影装置と、
前記撮影手段にて撮影した撮影画像を含む画像をプリント紙にプリントするプリント手段とを備えることを特徴とする写真撮影プリント装置。
【請求項７】
請求項６に記載の写真撮影プリント装置に用いられるプリント紙ユニットであって、
画像がプリントされるプリント紙と、前記プリント紙に関する識別情報を記録する識別媒体とを備え、
前記写真撮影プリント装置に備えられた識別情報読み取り手段によって、前記識別媒体に記録されている識別情報が読み取られ、その内容が確認された上で前記プリント手段により前記プリント紙に画像がプリントされることを特徴とするプリント紙ユニット。
【発明の詳細な説明】
【０００１】
【発明の属する技術分野】
本発明は、被写体及び背景面を照明して写真撮影を行う写真撮影装置、写真撮影プリント装置、及びこの写真撮影プリント装置に用いられるプリント紙ユニットに関するものである。
【０００２】
【従来の技術】
従来、例えばゲームセンターなどの娯楽施設において、背景を構成する撮影室内で利用者の写真撮影を行うとともに、その写真をシールシート等にプリントして出力する写真シール自動販売機（写真撮影プリント装置）が設置されており、人気を博している。
【０００３】
この写真シール自動販売機には、撮影室内を照明するための照明装置が設けられている。この照明装置は、一般的に利用者に対面する撮影室の正面に設置されており、写真撮影時に利用者を適切な光で照明することで、利用者が好適に撮影されるようにしている。
【０００４】
このような照明装置を用いた撮影室内の照明には次のような問題があった。上記の照明装置からの光は、撮影室の正面側から利用者に向けて照射される。そして、利用者にて反射された反射光が最終的に撮影用のカメラに入ることで撮影画像が得られる。このとき、利用者の背景に関しては、照明装置からの照明光にて照射される部分と、利用者の影になる部分とが生じることになる。その結果、背景の明るさ度合いが不均一になってしまい、得られる撮影画像においても背景の明るさが不均一になるという問題があった。このことは、背景の明るさにムラがある撮影画像をシールシート等にプリントすることになり、綺麗な画像が得られないといった利用者の不満を生じさせていた。
【０００５】
なお、従来、例えば特開２０００−２２４４１０号公報（公開日：平成１２年８月１１日）には、天井部の照明装置から利用者に対して照明を当てるとともに、利用者の背面や床面に面発光手段を設けてこれを発光させることで、背面や床面に生じる影を相殺する技術が開示されている。
【０００６】
また、例えば登録実用新案公報第３０６３３８２号（発行日：平成１１年１０月２９日）には、被写体の背景に光源からの光を光源方向にのみ再帰反射させる反射層を有した背景体を備え、光源から照射される光が被写体及び背景体に対して直交方向に均等に照射されるように設定した写真撮影装置が開示されている。
【０００７】
【発明が解決しようとする課題】
上記のように、面発光手段を用いる構成においては、大型で高価な面発光手段を導入する必要がある。その結果、装置のコストアップを招来してしまうという問題があった。
【０００８】
また、上記登録実用新案公報第３０６３３８２号に開示の技術では、撮影手段によって撮影される撮影画像における背景体の明るさを均一にすることは困難である。なぜなら、この技術では、再帰反射特性を有する背景体に対して直交方向に均等に光を照射するようになっていることから、背景体による反射光は主に背景体の法線方向に進む。一方、撮影手段は、一般にレンズによって集光した光を受光して撮影画像を形成するものである。したがって、撮影画像において、法線方向が撮影手段に向かっている背景体の位置付近は明るくなるが、その位置から離れるに従って暗くなるといった明るさの分布が生じるからである。
【０００９】
さらに、この技術では、被写体に対しても直交方向に光を照射するようになっているが、このような照明方法では被写体として例えば正面を向いた人物の顔を撮影するような場合、顔の両サイド付近において陰影が生じやすくなり、被写体の明るさをも均一にすることが困難である。
【００１０】
このような従来の問題を解消するためには、被写体に対する照明効果と、背景に対する照明効果とを個別に調節しやすい構成であり、かつ、従来の装置と比較して大幅なコストアップを招来しない構成の写真撮影装置が望まれる。
【００１１】
本発明は、上記の課題に鑑みてなされたものであり、その目的は、コストアップを極力抑えつつ、被写体に対する照明効果と、背景に対する照明効果とを個別に調節しやすい写真撮影装置などを提供することにある。
【００１２】
【課題を解決するための手段】
本発明の写真撮影装置は、上記の課題を解決するために、被写体及びその背景を撮影する撮影手段と、前記撮影手段により被写体を撮影するときの背景を構成し、かつ、再帰反射特性を有する背景面と、前記撮影手段側から被写体及び前記背景面を照明し、互いに異なる照明特性を有する第１及び第２照明手段とを備え、前記背景面上の任意の位置から見たときの前記撮影手段の方向と前記第１照明手段の方向とがなす角度が、前記位置から見たときの前記撮影手段の方向と前記第２照明手段の方向とがなす角度よりも小さくなるように、前記第１及び第２照明手段が配置されていることを特徴としている。
【００１３】
上記の構成では、互いに異なる照明特性を有する２種類の照明手段、すなわち第１及び第２照明手段を備えている。そして、背景面上の任意の位置から見たときの撮影手段の方向と第１照明手段の方向とがなす角度が、撮影手段の方向と第２照明手段の方向とがなす角度よりも小さくなるように、第１及び第２照明手段が配置されている。また、上記の構成では、背景面が再帰反射特性を有している。
【００１４】
これにより、第１照明手段から発せられて背景面にて再帰反射した照明光は、第２照明手段から発せられて背景面にて再帰反射した照明光と比較して、撮影の際に撮影手段にて集光されやすくなる。つまり、第１照明手段は、第２照明手段と比較して、発した照明光のうち、背景面にて再帰反射して撮影手段に達する光の割合が大きくなるように配置されていることになる。したがって、背景面に対する照明効果に関しては、第１照明手段の照明特性の影響を大きくし、第２照明手段の照明特性の影響を小さくすることができる。
【００１５】
一方、被写体は、通常その表面に再帰反射特性を有することはなく、一般には拡散反射特性を有している。そのため、第１及び第２照明手段が上記のように配置されていても、被写体に対する照明効果に関しては、第１照明手段の照明特性の影響と第２照明手段の照明特性の影響との間で大差は生じにくい。したがって、被写体に対する照明効果は、第１照明手段の照明特性の影響と、第２照明手段の照明特性の影響とが重ね合わされたものとなる。
【００１６】
その結果、第１照明手段の照明特性を変更した場合、背景面に対する照明効果に関しては上記照明特性の変更の影響が比較的大きく現れ、被写体に対する照明効果に関しては上記照明特性の変更の影響が比較的小さく現れる。また、第２照明手段の照明特性を変更した場合、背景面に対する照明効果に関しては上記照明特性の変更の影響が比較的小さく現れ、被写体に対する照明効果に関しては上記照明特性の変更の影響が比較的大きく現れる。このように、上記の構成では、背景面に対する照明効果と、被写体に対する照明効果とを個別に調節しやすくなる。
【００１７】
また、上記の構成では、第１及び第２照明手段として、特殊な照明手段を用いる必要がないため、装置の大幅なコストアップを避けることができる。
【００１８】
第１及び第２照明手段を上記のように配置するには、例えば、前記背景面と対面して配置され、前記背景面側の側面に前記撮影手段、第１照明手段及び第２照明手段が設置された筐体を上記写真撮影装置が備え、前記撮影手段に対して、前記第２照明手段が前記第１照明手段より外側になるように配置すればよい。
【００１９】
本発明の写真撮影装置は、上記写真撮影装置において、前記第１照明手段と第２照明手段とが、互いに異なる色の照明光を発するようになっていてもよい。
【００２０】
上述のように、背景面に対する照明効果と被写体に対する照明効果については、第１照明手段の照明特性の影響と第２照明手段の照明特性の影響とが異なって現れる。したがって、上記のように第１照明手段と第２照明手段とが互いに異なる色の照明光を発すると、背景面と被写体とでは互いに異なる色の照明効果が得られることになる。これにより、例えば被写体に対してはその被写体を美しく撮影できるような色の照明効果を与え、背景面に対しては任意の色の照明効果を与えるといったことが可能になる。
【００２１】
本発明の写真撮影装置は、上記写真撮影装置において、前記第１及び第２照明手段の各照明特性を変更する制御手段を備えていてもよい。
【００２２】
上記の構成では、第１及び第２照明手段の各照明特性を容易に変更することができるようになる。これにより、例えば撮影するたびに各照明特性を変更して異なる照明効果による複数の撮影画像を容易に得ることができるようになる。
【００２３】
本発明の写真撮影装置は、上記写真撮影装置において、前記撮影手段及び第１照明手段が、前記筐体に対して一体的に移動可能であってもよい。
【００２４】
上記の構成では、撮影手段を移動させることで、被写体を様々な方向から撮影できるようになる。また、第１照明手段が撮影手段と一体的に移動することで、撮影手段の移動にかかわらず第１照明手段と撮影手段との位置関係が一定する。これにより、撮影手段は、移動による位置にかかわらず、第１照明手段から発せられ背景面にて再帰反射した照明光をほぼ同様に集光することができる。その結果、撮影時の撮影手段の位置にかかわらず、撮影画像において背景面の明るさをほぼ一定に保つことができるようになる。
【００２５】
本発明の写真撮影プリント装置は、上記何れかの写真撮影装置と、前記撮影手段にて撮影した撮影画像を含む画像をプリント紙にプリントするプリント手段とを備える構成である。このように、上記写真撮影装置にプリント手段を備えることによって写真撮影プリント装置を構成することができる。
【００２６】
本発明のプリント紙ユニットは、上記写真撮影プリント装置に用いられるプリント紙ユニットであって、画像がプリントされるプリント紙と、前記プリント紙に関する識別情報を記録する識別媒体とを備え、前記写真撮影プリント装置に備えられた識別情報読み取り手段によって、前記識別媒体に記録されている識別情報が読み取られ、その内容が確認された上で前記プリント手段により前記プリント紙に画像がプリントされるものである。
【００２７】
上記の構成によれば、識別情報読み取り手段で読み取った識別情報に基づいて、装着されたプリント紙が、当該写真撮影プリント装置において利用可能なものであるかを判定し、利用可能である場合にのみプリント手段を動作可能とすることが可能となる。すなわち、写真撮影プリント装置において指定されているプリント紙以外は使用できないように設定することが可能となる。
【００２８】
また、識別情報に用紙枚数情報を含ませることによって、プリント紙を使用するごとに用紙枚数をカウントダウンすることにより、残りの用紙枚数を把握することが可能となる。よって、残りの用紙枚数が少なくなってきた際に、これを表示手段などによって警告するような構成としておけば、ユーザの利用中に用紙切れを起こすというような不具合を回避することが可能となる。
【００２９】
また、識別情報に用紙種類情報を含ませることによって、これらを考慮して画像データの色成分などを補正することにより、その用紙やインクフィルムに的確な画像出力を行うことが可能となる。
【００３０】
【発明の実施の形態】
本発明の実施の一形態について図１から図６に基づいて説明すれば、以下の通りである。
【００３１】
図２は、本実施形態の写真撮影プリント装置１の外観を示す図面であり、図２（ａ）は写真撮影プリント装置１を上方からみた図面、図２（ｂ）は写真撮影プリント装置１の背面を示す図面、図２（ｃ）は写真撮影プリント装置１の側面を示す図面、図２（ｄ）は写真撮影プリント装置１の撮影室内の正面を示す図面である。
【００３２】
なお、ここでは、写真撮影プリント装置１として、ゲームセンターなどの娯楽施設に設置され、撮影室内で利用者の写真撮影を行うとともに、その写真をシールシート等にプリントして出力する写真シール自動販売機を想定している。ただし、本発明は、このような装置に限定されるものではい。
【００３３】
この写真撮影プリント装置１は、本体２（筐体）と、撮影室３とに大別される。本体２の撮影室３側の面（正面、図２（ｄ）参照）には、被写体としての利用者及びその背景を撮影するためのカメラ１３（撮影手段）、カメラ１３にて撮影した撮影画像を表示する液晶モニタ１３ａ、互いに異なる照明特性を有する第１及び第２照明装置１１・１２（第１及び第２照明手段）、利用者に対する写真撮影プリント装置１の操作情報を表示する撮影画面用ディスプレイ１９、利用者からの入力を受け付ける撮影画面用入力スイッチ２０などが備えられている。
【００３４】
第１及び第２照明装置１１・１２としては一般的な照明装置を用いることができるが、ここでは、第１照明装置１１として閃光放電管を、第２照明装置１２として高輝度ＬＥＤを用いている。
【００３５】
なお、本明細書において、「照明特性」とは、カメラ１３での撮影に影響を与える第１照明装置１１又は第２照明装置１２による照明の特性を意味する。この照明特性には、例えば、第１照明装置１１又は第２照明装置１２の発する照明光の強度や色などが含まれる。
【００３６】
カメラ１３、液晶モニタ１３ａ、及び第１照明装置１１は撮影ユニット４として一体化されている。また、様々な位置から被写体及び背景を撮影できるように、利用者による手動操作によって、撮影ユニット４は本体２に対して上下方向Ｖに移動できるようになっており、カメラ１３は撮影ユニット４への取り付け角度が変更できるようになっている。なお、撮影ユニット４は、上下方向Ｖ以外の方向に移動できてもよく、また利用者による手動操作のみならず移動機構により自動的に移動してもよい。
【００３７】
また、ここでは撮影画面用ディスプレイ１９と撮影画面用入力スイッチ２０とが別々の構成である場合を想定しているが、撮影画面用ディスプレイ１９に撮影画面用入力スイッチ２０の機能をもたせたタッチパネル一体型ディスプレイとしてもよい。
【００３８】
本体２の撮影室３とは反対の面（背面、図２（ｂ）参照）には、撮影室３内でのカメラ１３による撮影後に、その撮影画像に対して利用者が落書きを行うための落書面１４・１４が備えられている。落書面１４・１４は撮影画像を表示し、利用者は、落書面１４・１４に表示された撮影画像に対して、図示しないペンなどによって落書きを施すことができる。なお、落書面１４・１４はタッチパネルと一体型に構成されており、上記ペンなどによる入力を受け付けることができるものである。
【００３９】
本体２における撮影室３への一方の出入口付近の面（側面、図２（ｃ）参照）には、写真撮影プリント装置１の利用料金の支払いを受け付けるコイン投入部１５、写真撮影プリント装置１によって撮影した画像がプリントされた写真シールを排出して利用者に提供するための写真シール排出口１６などが備えられている。
【００４０】
撮影室３は、その内部に利用者が入って写真撮影プリント装置１を操作するとともに、カメラ１３によって被写体である利用者自身及びその背景の写真撮影を行うための撮影空間を構成している。撮影室３は、本体２及び支柱１７ａにて支えられた仕切幕１７を備えており、この仕切幕１７と本体２とによって外部と仕切られた空間が撮影空間となる。
【００４１】
撮影室３には、カメラ１３により被写体としての利用者を撮影するときの背景となる背景面１８ａを構成するための背景構成部材１８が備えられている。この背景構成部材１８は、背景面１８ａが再帰反射特性を有するようになっている。「再帰反射」とは、入射光の光路にほぼ沿う方向に選択的に反射光が戻るような反射をいう。したがって、再帰反射特性を有する背景面１８ａに対して光を照射すると、通常の拡散反射と比較して、光を照射した方向により多くの反射光が戻るようになる。この再帰反射特性を有する背景面１８ａは、例えば、レンズとして作用する直径４０〜９０μｍ程度の微少な高屈折ガラスビーズを反射層上に一定条件を満たすように均一に多数配置して結合樹脂にて結合することにより形成することができる。なお、再帰反射特性を有する再帰反射シートが一般に市販されているので、この再帰反射シートを背景構成部材１８として用いることができる。
【００４２】
図３は、写真撮影プリント装置１に備えられた制御装置を中心とした写真撮影プリント装置１の概略構成を示すブロック図である。なお、図２に基づいて説明した構成要素に関しては図２と同一の符号を付記し、一部のものについては説明を省略する。
【００４３】
本体２内部には、写真撮影プリント装置１の各部を制御する制御装置２１が設けられている。制御装置２１は、写真撮影プリント装置１の各部の動作を統括的に制御するものである。この制御装置２１は、例えばパーソナルコンピュータ（パソコン）などのコンピュータによって構成される。そして、各部の動作制御は、制御装置２１にて制御プログラムを実行することによって実現される。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置２１がインターネットなどの通信ネットワークに接続された構成とする場合、この通信ネットワークを介して上記プログラムをダウンロードしてハードディスクなどにインストールして実行する形態なども考えられる。
【００４４】
記憶装置２２は、上記したハードディスクなどの不揮発性の記憶装置によって構成されるものである。図３では、記憶装置２２を制御装置２１とは別に図示しているが、記憶装置２２が制御装置２１に含まれていてもよい。この記憶装置２２に記憶される内容としては、上記した制御プログラム、ＯＳ（Ｏｐｅｒａｔｉｎｇ　Ｓｙｓｔｅｍ）プログラム、及びその他各種プログラム、カメラ１３における動作設定値、撮影環境の設定値、撮影した画像及び編集した画像の画像データなどが挙げられる。なお、撮影環境の設定値として、第１及び第２照明装置１１・１２を制御するための照明制御データが含まれている。この照明制御データについては後述する。
【００４５】
課金処理部２３は、コイン投入部１５を介して利用者から徴収するコインに基づく課金に関する処理を行う。この課金処理部２３による課金状況に応じて、制御装置２１が該当利用者に対する写真撮影プリント装置１の動作を制御する。
【００４６】
電源装置２４は、制御装置２１、その他写真撮影プリント装置１の各部に対して電力を供給する。
【００４７】
ＩＤタグリーダ／ライタ２５（識別情報読み取り手段）は、ＩＤタグ２６（識別媒体）に記録されている各種識別情報を読み出して制御装置２１に出力する。ＩＤタグ２６は、メモリ機能を有するＩＣチップなどによって構成されるものである。上記識別情報としては、固有ＩＤ、シール紙Ｓの枚数、シール紙Ｓの種類、及びインク固有の色情報（インクフィルム（図示せず）がセットとなっている場合）などが挙げられる。
【００４８】
制御装置２１は、ＩＤタグリーダ／ライタ２５で読み取った識別情報に基づいて、装着されたシール紙Ｓ及びインクフィルムが、当該写真撮影プリント装置１において利用可能なものであるかを判定し、利用可能である場合にのみプリンタ２７を動作可能とする。すなわち、写真撮影プリント装置１において指定されているシール紙Ｓ及びインクフィルム以外は使用できないように設定されていることになる。なお、ＩＤタグ２６及びシール紙Ｓ（プリント紙）を含んでプリント紙ユニットが構成される。
【００４９】
また、ＩＤタグ２６に記録されているシール紙Ｓの枚数情報に基づいて、シール紙Ｓを使用するごとに枚数をカウントダウンしていくことによって、残りの枚数を把握することが可能となる。よって、残りの枚数が少なくなってきた際に、これを警告するような構成としておけば、利用者の利用中にシール紙切れを起こすというような不具合を回避することが可能となる。なお、枚数をカウントダウンする際には、ＩＤタグ２６に記録されているシール紙Ｓの枚数情報も書き換えるようにする。これにより、シール紙Ｓを使い切った場合には、ＩＤタグ２６に記録されている枚数情報も０となり、このＩＤタグ２６を無効にすることが可能となる。
【００５０】
ＩＤタグ２６としては、無線によりデータ通信を行うことが可能な非接触型ＩＤタグと、端子が設けられた接触型ＩＤタグとがあり、ＩＤタグリーダ／ライタ２５としては、これらのどちらか一方あるいは両方に対応したものとなる。
【００５１】
ＩＤタグリーダ／ライタ２５及びプリンタ２７を含んでプリント装置が構成されており、このプリント装置に対して、プリントすべき画像の出力媒体となるシール紙Ｓ、及びＩＤタグ２６が１組となってセットされるようになっている。
【００５２】
プリンタ２７（プリント手段）は、カメラ１３で撮影された画像や、さらにこの画像に落書きが施された画像等の出力すべきプリント画像データが制御装置２１から送られてくると、そのプリント画像データに基づく画像をシール紙Ｓにプリントするものである。シール紙Ｓとしては、剥離紙をはがすことによりシールとして貼り付けられるものがよく用いられる。なお、シール紙Ｓの代わりに、シール状ではない通常の用紙を用いてもよい。
【００５３】
なお、ここではＩＤタグリーダ／ライタ２５やプリンタ２７を含めた写真撮影プリント装置１について説明しているが、これらを備えない単なる写真撮影装置も本発明の技術的範囲に含まれる。
【００５４】
次に、写真撮影プリント装置１におけるカメラ１３、第１照明装置１１、及び第２照明装置１２の配置、及びその配置による照明効果について図１、図４（ａ）、図４（ｂ）、図５（ａ）、図５（ｂ）に基づいて説明する。これらの図は、写真撮影プリント装置１を上方からみた図、つまり図２（ａ）に対応する図である。なお、上記各図では、図２（ａ）に示した構成要素のうち一部のものを省略している。
【００５５】
図１に、カメラ１３、第１照明装置１１、及び第２照明装置１２の配置関係を示す。写真撮影プリント装置１において、第１照明装置１１及び第２照明装置１２は、ともにカメラ１３側から被写体である利用者及び背景面１８ａに向けて照明光を照射するものである。そして、背景面１８ａ上の任意の位置Ｐから見たときのカメラ１３の方向Ｄ３と第１照明装置１１の方向Ｄ１とがなす角度θ１が、上記位置Ｐから見たときのカメラ１３の方向Ｄ３と第２照明装置１２の方向Ｄ２とがなす角度θ２よりも小さくなるように、カメラ１３、第１照明装置１１、及び第２照明装置１２が配置されている。なお、「位置Ｐから見たときの第１照明装置１１（第２照明装置１２）の方向Ｄ１（Ｄ２）」とは、位置Ｐと第１照明装置１１（第２照明装置１２）の発光面内の中央付近とを結ぶ方向を意味する。
【００５６】
ここでは、背景面１８ａと対面して配置され本体２（筐体）の背景面１８ａ側の側面（正面）にカメラ１３、第１及び第２照明装置１１・１２が設置されており、カメラ１３に対して、第２照明装置１２が第１照明装置１１より外側に配置されている構成を示しているが、上記の関係を満たしている限り他の配置であってもよい。
【００５７】
このような配置により、背景面１８ａと被写体である利用者との間で、以下に説明するように互いに異なる照明効果を与えることができる。なお、実際には、背景面１８ａの再帰反射特性、第１照明装置１１や第２照明装置１２から発せられる照明光の方向や光量分布等により複雑な現象が起こるが、以下の説明では、実際に起こる現象を単純化した一般的な傾向を示している。
【００５８】
図４（ａ）に、背景面１８ａの位置Ｐを照明する第１照明装置１１からの照明光Ｌ１と、この照明光Ｌ１が背景面１８ａで反射したときの反射光の広がりの範囲Ｒ１とを示す。また、図４（ｂ）に、背景面１８ａの位置Ｐを照明する第２照明装置１２からの照明光Ｌ２と、この照明光Ｌ２が背景面１８ａで反射したときの反射光の広がりの範囲Ｒ２とを示す。なお、「反射光の広がりの範囲Ｒ１（Ｒ２）」とは、反射光のうち、照明光Ｌ１（Ｌ２）に対する強度比が所定値以上の光の広がりの範囲を意味している。この範囲Ｒ１（Ｒ２）は、背景面１８ａの有する再帰反射特性により、位置Ｐを中心に、照明光Ｌ１（Ｌ２）の方向に対してほぼ線対称、かつ、所定角度以内の範囲となる。
【００５９】
図４（ａ）と図４（ｂ）とを比較して明らかなように、第２照明装置１２からの照明光Ｌ２が背景面１８ａにて再帰反射された反射光は、第１照明装置１１からの照明光Ｌ１が背景面１８ａにて再帰反射された反射光と比較して、カメラ１３に向かい難くなる。つまり、第２照明装置１２は、第１照明装置１１と比較して、発した照明光Ｌ２のうち、背景面１８ａにて再帰反射されてカメラ１３に達する光の割合が小さくなるように配置されていることになる。逆に、第１照明装置１１は、第２照明装置１２と比較して、発した照明光Ｌ１のうち、背景面１８ａにて再帰反射されてカメラ１３に達する光の割合が大きくなるように配置されていることになる。
【００６０】
したがって、背景面１８ａに対する照明効果に関しては、第１照明装置１１の照明特性の影響を大きくし、第２照明装置１２の照明特性の影響を小さくすることができる。
【００６１】
次に、図５（ａ）に、利用者Ｕを照明する第１照明装置１１からの照明光Ｌ１ａと、この照明光Ｌ１ａが利用者Ｕで反射したときの反射光Ｒ１ａの広がる様子とを示す。また、図５（ｂ）に、利用者Ｕを照明する第２照明装置１２からの照明光Ｌ２ａと、この照明光Ｌ２ａが利用者Ｕで反射したときの反射光Ｒ２ａの広がる様子とを示す。
【００６２】
利用者Ｕなどの一般的な被写体の表面は、通常、再帰反射特性ではなく拡散反射特性を有している。そのため、第１及び第２照明装置１１・１２が上記のように配置されていても、利用者Ｕに対する照明効果に関しては、第１照明装置１１の照明特性の影響と第２照明装置１２の照明特性の影響との間で大差は生じにくい。したがって、利用者Ｕに対する照明効果は、第１照明装置１１の照明特性の影響と、第２照明装置１２の照明特性の影響とが重ね合わされたものとなる。
【００６３】
その結果、第１照明装置１１の照明特性を変更した場合、背景面１８ａに対する照明効果に関しては上記照明特性の変更の影響が比較的大きく現れ、利用者Ｕに対する照明効果に関しては上記照明特性の変更の影響が比較的小さく現れる。また、第２照明装置１２の照明特性を変更した場合、背景面１８ａに対する照明効果に関しては上記照明特性の変更の影響が比較的小さく現れ、利用者Ｕに対する照明効果に関しては上記照明特性の変更の影響が比較的大きく現れる。
【００６４】
このように、上記のように第１及び第２照明装置１１・１２を配置することにより、背景面１８ａに対する照明効果と、利用者Ｕに対する照明効果とを個別に調節しやすくなる。
【００６５】
なお、第１及び第２照明装置１１・１２としては、一般的な照明装置を用いることができ、第１及び第２照明装置１１・１２を導入することにより写真撮影プリント装置１が大幅にコストアップすることを防ぐことができる。
【００６６】
また、上述のようにカメラ１３が本体２に対して移動可能であることにより、カメラ１３を移動させることで、利用者Ｕを様々な方向から撮影できるようになる。また、第１照明装置１１がカメラ１３と一体的に移動することで、カメラ１３の移動にかかわらず第１照明装置１１とカメラ１３との位置関係が一定する。これにより、カメラ１３は、移動による位置にかかわらず、第１照明装置１１から発せられ背景面１８ａにて再帰反射した照明光をほぼ同様に集光することができる。その結果、撮影時のカメラ１３の位置にかかわらず、撮影画像において背景面１８ａの明るさをほぼ一定に保つことができるようになる。
【００６７】
なお、カメラ１３は、背景面１８ａの回帰反射特性に合うように撮影時の動作（シャッター速度、絞り等）が制御装置２１により制御される。
【００６８】
このような特性を利用して、写真撮影プリント装置１では例えば以下に説明するような撮影モードを実現することができる。
【００６９】
撮影画像において、背景面１８ａ及び利用者Ｕに極力影が生じないように撮影する撮影モード（無影モード）を実現することができる。この撮影モードによる撮影においては、背景面１８ａ及び利用者Ｕにおいて影が最も目立ちにくくなるように、主に第１及び第２照明装置１１・１２の発する照明光の強度が個別に調節される。第１及び第２照明装置１１・１２の発する照明光の強度をどのように調節すれば、背景面１８ａ及び利用者Ｕにおける影が最も目立ちにくくなるかは、実際の第１照明装置１１、第２照明装置１２、カメラ１３、背景構成部材１８などの配置や、背景面１８ａの再帰反射特性などによって異なることになる。したがって、実際の写真撮影プリント装置１において背景面１８ａ及び利用者Ｕにおける影が最も目立ちにくくなる第１及び第２照明装置１１・１２の発する照明光の強度の条件を予め求めて設定しておけばよい。
【００７０】
また、背景面１８ａを暗くし、利用者Ｕを明るくすることで、利用者Ｕが浮かび上がった撮影画像を形成できる撮影モード（ハイコントラストモード）を実現することができる。この撮影モードによる撮影においては、第１照明装置１１の発する照明光の強度が小さくなるように設定され、第２照明装置１２の発する照明光の強度が大きくなるように設定される。
【００７１】
また、ハイコントラストモードとは逆に、背景面１８ａを明るく、利用者Ｕを暗くすることで、逆光状態で撮影する撮影モード（逆光モード）を実現することができる。このような撮影では不自然な撮影画像が得られることになるが、娯楽目的の撮影を行うための写真撮影プリント装置１では不自然な撮影画像の方が娯楽性が高く利用者に満足される場合もある。この撮影モードによる撮影においては、第１照明装置１１の発する照明光の強度が大きくなるように設定され、第２照明装置１２の発する照明光の強度が小さくなるように設定される。
【００７２】
また、背景面１８ａに色付けして撮影する撮影モード（カラー背景モード）を実現することができる。そのためには、第１照明装置１１と第２照明装置１２とが互いに異なる色の照明光を発するようになっておればよい。上述のように、背景面１８ａに対する照明効果と利用者Ｕに対する照明効果については、第１照明装置１１の照明特性の影響と第２照明装置１２の照明特性の影響とが異なって現れる。したがって、上記のように第１照明装置１１と第２照明装置１２とが互いに異なる色の照明光を発すると、背景面１８ａと利用者Ｕとでは互いに異なる色の照明効果が得られることになる。例えば、利用者Ｕに対してはその利用者Ｕを美しく撮影できるような色の照明効果を与え、背景面１８ａに対しては任意の色の照明効果を与えるといったことが可能になる。
【００７３】
なお、利用者Ｕにも色付けしてしまうと不自然な撮影画像になってしまうため、利用者Ｕに対しては極力色付けされないようにする必要がある。そこで、この撮影モードによる撮影においては、第１照明装置１１の発する照明光の色が所望とする背景の色に設定されるとともに、第２照明装置１２の発する照明光が十分な強度を有する白色に設定される。
【００７４】
第１照明装置１１からカラーの照明光を発するためには、第１照明装置１１をカラーＬＥＤ（例えばそれぞれ赤、緑、青の光を発するＬＥＤを組み合わせたもの）により構成する、あるいは白色ＬＥＤとカラーフィルターとの組合せにより構成すればよい。
【００７５】
さらに、背景面１８ａに対する第２照明装置１２による照明効果の影響を考慮して第１照明装置１１の発する照明光の色を微調整する、あるいは、利用者Ｕに対する第１照明装置１１による照明効果の影響を考慮して第２照明装置１２の発する照明光の色を微調整するようにしてもよく、これにより、より望ましい撮影画像を得ることができる。
【００７６】
また、この撮影モードは、上記無影モード、ハイコントラストモード、又は逆光モードと組み合わせることもできる。
【００７７】
このように、写真撮影プリント装置１では、背景面１８ａに対する照明効果と、利用者Ｕに対する照明効果とを個別に調節しやすい構成であるため、上記のような多様な撮影モードを実現することができる。
【００７８】
写真撮影プリント装置１には、上記のような撮影モードの１つが予め設定されていてもよいが、上記のような撮影モードを利用者の選択によって切り換えて利用できるようになっていてもよい。本実施形態では、上記のような撮影モードを切り換えて利用できる写真撮影プリント装置１を想定する。
【００７９】
上記のような撮影モードを切り換えは、制御装置２１（制御手段）及び記憶装置２２（図３参照）などを用いて実現される。すなわち、各撮影モードにおける第１及び第２照明装置１１・１２の各照明特性を実現するための照明制御データが予め記憶装置２２に記憶されているとともに、制御装置２１により記憶装置２２に記憶させた照明制御データを読み出して、その照明制御データに基づく照明制御信号を第１及び第２照明装置１１・１２に送って第１及び第２照明装置１１・１２を制御してそれぞれの照明特性を変更できるようになっている。これにより、第１及び第２照明装置１１・１２の各照明特性を容易に変更することができるようになり、例えば撮影するたびに各照明特性を変更して異なる照明効果による複数の撮影画像を容易に得ることができるようになる。
【００８０】
なお、利用者による撮影モードの選択を実現するために、制御装置２１が撮影画面用ディスプレイ１９に撮影モードの選択画面を表示させるとともに、撮影画面用入力スイッチ２０を介して撮影モードの選択入力信号を受け付けるようになっている。
【００８１】
図６のフローチャートに基づいて、写真撮影プリント装置１を利用する際の一連の処理の流れを説明する（図２及び図３参照）。写真撮影プリント装置１を利用する利用者は、まずコイン投入部１５に所定金額のコインを投入して撮影室３に入る（Ｓ１）。課金処理部２３が、所定金額のコインが投入されたことを確認すると（Ｓ２）、制御装置２１は撮影画面用ディスプレイ１９に撮影モードの選択画面を表示して利用者による撮影モードの選択を受け付ける（Ｓ３）。撮影モードとして、「カラー背景モード」が選択された場合には、制御装置２１はさらに撮影画面用ディスプレイ１９に背景カラーの選択画面を表示して利用者による背景カラーの選択を受け付ける（Ｓ４）。そして、利用者はカメラ１３に向かってポーズをとるなどして撮影ボタン（図示せず）を押すと（Ｓ５）、制御装置２１の制御によって第１及び第２照明装置１１・１２が選択された撮影モード及び背景カラーに対応した照明特性に設定されて（Ｓ６）、カメラ１３が写真撮影を行う（Ｓ７）。その後、制御装置２１が落書面１４・１４により利用者からの撮影画像に対する落書きを受け付け（Ｓ８）、撮影画像と落書き画像とを合成して生成されるプリント画像データをプリンタ２７に出力してシール紙Ｓへのプリントが行われる。
【００８２】
以上のように、本発明の写真撮影装置は、被写体及びその背景を撮影するカメラ１３と、カメラ１３により被写体を撮影するときの背景を構成し、かつ、再帰反射特性を有する背景面１８ａと、カメラ１３側から被写体及び背景面１８ａを照明し、互いに異なる照明特性を有する第１及び第２照明装置１１・１２とを備え、背景面１８ａ上の任意の位置から見たときのカメラ１３の方向と第１照明装置１１の方向とがなす角度が、上記位置から見たときのカメラ１３の方向と第２照明装置１２の方向とがなす角度よりも小さくなるように、第１及び第２照明装置１１・１２が配置されている。これにより、背景面１８ａに対する照明効果と、被写体に対する照明効果とを個別に調節しやすくなり、上述のような様々な撮影モードを実現することができる。
【００８３】
【発明の効果】
以上のように、本発明の写真撮影装置は、撮影手段と、再帰反射特性を有する背景面と、互いに異なる照明特性を有する第１及び第２照明手段とを備え、背景面上の任意の位置から見たときの撮影手段の方向と第１照明手段の方向とがなす角度が、位置から見たときの撮影手段の方向と第２照明手段の方向とがなす角度よりも小さくなるように、第１及び第２照明手段が配置されている構成である。
【００８４】
上記の構成では、第１照明手段の照明特性を変更した場合、背景面に対する照明効果に関しては上記照明特性の変更の影響が比較的大きく現れ、被写体に対する照明効果に関しては上記照明特性の変更の影響が比較的小さく現れる。また、第２照明手段の照明特性を変更した場合、背景面に対する照明効果に関しては上記照明特性の変更の影響が比較的小さく現れ、被写体に対する照明効果に関しては上記照明特性の変更の影響が比較的大きく現れる。このように、上記の構成では、背景面に対する照明効果と、被写体に対する照明効果とを個別に調節しやすくなる。
第１及び第２照明手段を上記のように配置するには、例えば、背景面と対面して配置され、背景面側の側面に撮影手段、第１照明手段及び第２照明手段が設置された筐体を上記写真撮影装置が備え、撮影手段に対して、第２照明手段が第１照明手段より外側になるように配置すればよい。
【００８５】
本発明の写真撮影装置は、上記写真撮影装置において、第１照明手段と第２照明手段とが、互いに異なる色の照明光を発するようになっていてもよい。
【００８６】
上記のように第１照明手段と第２照明手段とが互いに異なる色の照明光を発すると、背景面と被写体とでは互いに異なる色の照明効果が得られることになる。これにより、例えば被写体に対してはその被写体を美しく撮影できるような色の照明効果を与え、背景面に対しては任意の色の照明効果を与えるといったことが可能になる。
【００８７】
本発明の写真撮影装置は、上記写真撮影装置において、第１及び第２照明手段の各照明特性を変更する制御手段を備えていてもよい。
【００８８】
上記の構成では、第１及び第２照明手段の各照明特性を容易に変更することができるようになる。これにより、例えば撮影するたびに各照明特性を変更して異なる照明効果による複数の撮影画像を容易に得ることができるようになる。
【００８９】
本発明の写真撮影装置は、上記写真撮影装置において、撮影手段及び第１照明手段が、筐体に対して一体的に移動可能であってもよい。
【００９０】
上記の構成では、撮影手段は、移動による位置にかかわらず、第１照明手段から発せられ背景面にて再帰反射した照明光をほぼ同様に集光することができる。その結果、撮影時の撮影手段の位置にかかわらず、撮影画像において背景面の明るさをほぼ一定に保つことができるようになる。
【００９１】
本発明の写真撮影プリント装置は、上記何れかの写真撮影装置と、撮影手段にて撮影した撮影画像を含む画像をプリント紙にプリントするプリント手段とを備える構成である。このように、上記写真撮影装置にプリント手段を備えることによって写真撮影プリント装置を構成することができる。
【００９２】
本発明のプリント紙ユニットは、上記写真撮影プリント装置に用いられるプリント紙ユニットであって、画像がプリントされるプリント紙と、プリント紙に関する識別情報を記録する識別媒体とを備え、写真撮影プリント装置に備えられた識別情報読み取り手段によって、識別媒体に記録されている識別情報が読み取られ、その内容が確認された上でプリント手段によりプリント紙に画像がプリントされるものである。
【００９３】
上記の構成では、写真撮影プリント装置において指定されているプリント紙以外は使用できないように設定することが可能となる。また、識別情報に用紙枚数情報を含ませることによって、プリント紙を使用するごとに用紙枚数をカウントダウンすることにより、残りの用紙枚数を把握することが可能となる。また、識別情報に用紙種類情報を含ませることによって、これらを考慮して画像データの色成分などを補正することにより、その用紙やインクフィルムに的確な画像出力を行うことが可能となる。
【図面の簡単な説明】
【図１】本発明の実施の一形態に係る写真撮影プリント装置におけるカメラ、第１照明装置、及び第２照明装置の配置を説明するための平面図である。
【図２】図１の写真撮影プリント装置の外観を示す図面であり、（ａ）は写真撮影プリント装置を上方からみた図面、（ｂ）は写真撮影プリント装置の背面を示す図面、（ｃ）は写真撮影プリント装置の側面を示す図面、（ｄ）は写真撮影プリント装置の撮影室内の正面を示す図面である。
【図３】図１の写真撮影プリント装置の制御装置を中心とした概略構成を示すブロック図である。
【図４】（ａ）及び（ｂ）は、図１の写真撮影プリント装置における照明効果を説明するための平面図である。
【図５】（ａ）及び（ｂ）は、図１の写真撮影プリント装置における照明効果を説明するための他の平面図である。
【図６】図１の写真撮影プリント装置を利用する場合の処理の流れを示すフローチャートである。
【符号の説明】
１　　　写真撮影プリント装置
２　　　本体（筐体）
３　　　撮影室
４　　　撮影ユニット
１１　　　第１照明装置（第１照明手段）
１２　　　第２照明装置（第２照明手段）
１３　　　カメラ（撮影手段）
１４　　　落書面
１５　　　コイン投入部
１６　　　写真シール排出口
１７　　　仕切幕
１８　　　背景構成部材
１８ａ　　背景面
１９　　　撮影画面用ディスプレイ
２０　　　撮影画面用入力スイッチ
２１　　　制御装置（制御手段）
２２　　　記憶装置
２３　　　課金処理部
２４　　　電源装置
２５　　　ＩＤタグリーダ／ライタ（識別情報読み取り手段）
２６　　　ＩＤタグ（識別媒体）
２７　　　プリンタ（プリント手段）
Ｓ　　　シール紙（プリント紙）
【図１】
2004093925.tif 000003
【図２】
2004093925.tif 000004
【図３】
2004093925.tif 000005
【図４】
2004093925.tif 000006
【図５】
2004093925.tif 000007
【図６】
2004093925.tif 000008